(57)【要約】携帯電話機またはテレビ受信機において使用する、オーディオ／ビデオ情報を含む信号を周波数変換するミキサ（３）を備えたミキサ回路（２）を備えるミキサシステム（１）は、オーディオ／ビデオ情報を含む上記信号の上記周波数変換中に振幅補正（基本アイデア）を行う振幅検出器（６）が設けられ、小型トランジスタ（小型トランジスタは位相誤差が性能をもはや決定づけないようなサイズを有する）に基づく集積テクノロジーによる設計から生ずる振幅誤差（洞察）を補正する。上記ミキサ回路（２）は利得制御可能な増幅器回路（３，４）を具備し、上記振幅検出器（６）はレベル検出器（６１，６２）および増幅器（６３）を備える。さらなる振幅検出器（７，８，９）は同相補正を行い、レベル検出器（７１，７２，８１，８２）および増幅器（７３，８３）を備えるか、または、加算器（９１）とレベル検出器（９２）と増幅器（９３）とレンジ検出器（９４）とインバータ（９５）を備える。増幅器回路（４，５）は、位相補正を行う可調整抵抗素子（４２，４３，５２，５３）およびさらなる可調整抵抗素子（４４，４５，５４，５５）を備えた増幅器（４１，５１）を備える。
2006511144.tif 000002
【特許請求の範囲】
【請求項１】
オーディオ／ビデオ情報を備える信号を周波数変換する少なくとも２台のミキサを備えたミキサ回路を備え、
前記ミキサ回路の少なくとも１個の出力信号の振幅補正を行う振幅検出器を備え、
前記振幅補正がオーディオ／ビデオ情報を備える前記信号の前記周波数変換中に行われる、
ミキサシステム。
【請求項２】
前記振幅検出器が前記ミキサ回路の少なくとも２個の出力に接続された少なくとも２個の入力と前記ミキサ回路の少なくとも１個の制御入力に接続された少なくとも１個の出力とを備え、
前記ミキサ回路がミキサ信号を増幅する前記ミキサに接続された少なくとも２台の増幅器回路をさらに備え、
前記増幅器回路の少なくとも一方が前記増幅器回路の利得を制御する制御信号を受信する前記制御入力へ接続される、
請求項１に記載のミキサシステム。
【請求項３】
前記振幅検出器が少なくとも２台のレベル検出器を備え、各レベル検出器が増幅器の入力に接続された出力を有する、請求項２に記載のミキサシステム。
【請求項４】
増幅器回路ごとに少なくとも１台のさらなる振幅検出器を備え、
前記さらなる振幅検出器の少なくとも１個の入力が前記増幅器回路の少なくとも１個の出力に接続され、
前記さらなる振幅検出器の少なくとも１個の出力が前記増幅器回路に接続され、同相補正を行う前記増幅器回路の利得を制御する、
請求項２に記載のミキサシステム。
【請求項５】
前記さらなる振幅検出器が少なくとも２台のレベル検出器を備え、
前記レベル検出器が前記増幅器回路の出力に接続された入力と、増幅器の入力に接続された出力とを備える、
請求項４に記載のミキサシステム。
【請求項６】
前記さらなる増幅検出器が前記増幅器回路の出力信号を加算する少なくとも１台の加算器を備え、
前記加算器が増幅器の入力に接続された出力を有するレベル検出器の入力に接続された出力を備え、
前記増幅器がレンジ検出器の入力および前記レンジ検出器によって制御されるインバータの入力に接続された出力を備える、
請求項４に記載のミキサシステム。
【請求項７】
前記増幅器回路のそれぞれが第１の抵抗素子を介して互いに接続された少なくとも第１の入力および第１の出力と、第２の抵抗素子を介して互いに接続された少なくとも第２の入力および第２の出力とを備えた増幅器を備え、
前記増幅器回路の少なくとも一方の少なくとも１台の抵抗素子が前記増幅器回路の利得を制御するため調整可能である、
請求項２に記載のミキサシステム。
【請求項８】
前記増幅器回路のうちの一方の少なくとも１個の出力が、位相補正を行うため調整可能である少なくとも１台のさらなる抵抗素子を介してもう一方の増幅器回路の少なくとも１個の入力に接続される、請求項７に記載のミキサシステム。
【請求項９】
少なくとも１台のポリフェーズフィルタおよび前記ポリフェーズフィルタに接続されたミキサシステムを備え、
前記ミキサシステムが、
オーディオ／ビデオ情報を含む信号を周波数変換する少なくとも２台のミキサを備えたミキサ回路を備え、
前記ミキサ回路の少なくとも１個の出力信号の振幅補正を行う振幅検出器を備え、
前記振幅補正がオーディオ／ビデオ情報を備える前記信号の前記周波数変換中に行われる、
装置。
【請求項１０】
少なくとも２台のミキサを備えたミキサ回路によってオーディオ／ビデオ情報を含む信号を周波数変換する方法であって、
振幅検出器によって前記ミキサ回路の少なくとも１個の出力信号の振幅補正を行うステップを含み、
前記振幅補正を行うステップがオーディオ／ビデオ情報を含む前記信号の前記周波数変換中に行われる、
方法。
【発明の詳細な説明】
【技術分野】
【０００１】
本発明は、オーディオ／ビデオ情報を含む信号を周波数変換する少なくとも２台のミキサを備えたミキサ回路を備えるミキサシステムに関する。
【０００２】
本発明はまた、少なくとも１台のポリフェーズフィルタと、上記ポリフェーズフィルタに接続されたミキサシステムとを備え、このミキサシステムがオーディオ／ビデオ情報を含む周波数変換信号のための少なくとも２台のミキサを備えたミキサ回路を備える、装置、並びに、少なくとも２台のミキサを添えたミキサ回路によってオーディオ／ビデオ情報を含む信号を周波数変換する方法に関する。
【０００３】
このような装置は、たとえば、携帯電話機またはテレビ受信機などであり、たとえば、オーディオ／ビデオ情報を含む上記（アナログおよび／またはデジタル）信号は、たとえば、携帯電話呼の変調されたオーディオ信号であるか、もしくは、変調されたオーディオ信号を含み、および／または、たとえば、携帯電話カメラピクチャの変調されたビデオ信号であるか、もしくは、変調されたビデオ信号を含み、および／または、たとえば、テレビ番組の変調されたオーディオとビデオの信号であるか、もしくは、変調されたオーディオとビデオの信号を含み、および／または、（後で）オーディオおよび／またはビデオなどによって表現されるべき（変調された）データ信号であるか、もしくは、（変調された）データ信号を含む。上記ミキサ回路は、たとえば、携帯電話機接続および／またはテレビケーブル接続などによって受信されたオーディオ／ビデオ情報を含む信号を周波数変換（ダウンコンバートおよび／または復調）し、および／または、たとえば、携帯電話機接続などによって送信されるべきオーディオ／ビデオ情報を含む信号を周波数変換（変調および／またはアップコンバート）する。
【背景技術】
【０００４】
米国特許第６，１３７，９９９号は、通常のトランシーバーモードでオーディオ／ビデオ情報を含む信号を周波数変換する少なくとも２台のミキサ、たとえば、乗算器を備えたミキサ回路と、較正モードで上記ミキサ回路の少なくとも１個の出力信号の振幅補正を行う振幅検出器とを備えるミキサシステムを開示する。
【０００５】
既知のシステムは、特に、小型トランジスタ、すなわち、位相誤差がもはや性能を左右しない程度のサイズを有する小型トランジスタに基づく集積テクノロジーを用いて上記ミキサシステムを設計したことにより生ずる不規則性を補正（補償）できない点で不利である。
【発明の開示】
【発明が解決しようとする課題】
【０００６】
本発明の目的は、特に、オーディオ／ビデオ情報を備える信号を周波数変換する少なくとも２台のミキサ（乗算器）を備え、小型トランジスタに基づく集積テクノロジーを用いて設計可能であるミキサシステムを提供することである。
【０００７】
本発明のさらなる目的は、特に、少なくとも１台のポリフェーズフィルタと、上記ポリフェーズフィルタに接続されたミキサシステムとを備え、ミキサシステムがオーディオ／ビデオ情報を備える信号を周波数変換する少なくとも２台のミキサ（乗算器）を備え、小型トランジスタに基づく集積テクノロジーを用いて設計可能である装置を提供することである。
【０００８】
本発明のさらにもう一つの目的は、特に、ミキサシステムが小型トランジスタに基づく集積テクノロジーを用いて設計可能であり、少なくとも２台のミキサ（乗算器）を備えたミキサ回路によってオーディオ／ビデオ情報を含む信号を周波数変換する方法を提供することである。
【課題を解決するための手段】
【０００９】
本発明によるミキサシステムは、オーディオ／ビデオ情報を含む信号を周波数変換する少なくとも２台のミキサを備えたミキサ回路を備え、上記ミキサ回路の少なくとも１個の出力信号を振幅補正する振幅検出器を備え、上記振幅補正がオーディオ／ビデオ情報を含む上記信号の上記周波数変換中に行われる。
【００１０】
上記周波数変換中に上記振幅補正（補償）を行う振幅検出器を備えた上記ミキサシステムを提供することにより、小型トランジスタに基づく集積テクノロジーを用いた設計から生ずる振幅誤差が補正（補償）される。
【００１１】
米国特許第６，１３７，９９９号は、較正モードにおいて上記ミキサ回路の少なくとも１個の出力信号を振幅補正する振幅検出器を備えるミキサシステムを開示することに注意すべきである。この較正モード中に、較正信号がミキサへ供給される。したがって、米国特許第６，１３７，９９９号は、通常のトランシーバーモードにおいてオーディオ／ビデオ情報を含む信号の周波数変中に振幅補正を行うことを開示しない。
【００１２】
米国特許第６，１３７，９９９号は、振幅検出器の出力と上記ミキサ回路の制御入力との間のカップリングにおけるスイッチを用いて切り換え方式で振幅補正を行い、米国特許第６，１３７，９９９号は、通常モードの他に較正モードを有する。したがって、本発明によるミキサシステムはオーディオ／ビデオ情報を備える信号の周波数変換中に振幅補正を行うことの代わりに、および／または、振幅補正を行うことに加えて、本発明によるミキサシステムは切り換え無しに、および／または、較正することなく、振幅補正を行い、および／または、上記カップリングはスイッチレスである。
【００１３】
本発明によるミキサシステムの第１の実施形態は請求項２によって規定される。
【００１４】
上記振幅検出器に、上記ミキサ回路の少なくとも２個の出力に接続された少なくとも２個の入力と、上記ミキサ回路の少なくとも１個の制御入力に接続された少なくとも１個の出力とを設け、上記ミキサ回路にミキサ信号を増幅する上記ミキサ（乗算器）に接続された少なくとも２台の増幅器回路を設け、上記増幅器回路の少なくとも一方が上記増幅器回路の利得を制御する制御信号を受信する上記制御入力へ接続されることにより、上記ミキサ回路の少なくとも１個の出力信号の上記振幅補正が低コストと低い複雑度で実施された。
【００１５】
本発明によるミキサシステムの第２の実施形態は請求項３によって規定される。
【００１６】
上記振幅検出器にそれぞれが増幅器の入力に接続された出力を有する少なくとも２台のレベル検出器を設けることにより、上記振幅検出器が低コストと低い複雑度で実施された。上記レベル検出器は、たとえば、それぞれ、コンデンサなどのような平滑化素子と共に、ダイオードまたはトランジスタなどのような整流器を備え、整流された信号を平滑化する。
【００１７】
本発明によるミキサシステムの第３の実施形態は請求項４によって規定される。
【００１８】
上記ミキサシステムに、増幅器回路ごとに上記増幅器回路の利得を制御する少なくとも１台のさらなる振幅検出器を設けることにより、同相補正（補償）を行うことが可能である。
【００１９】
本発明によるミキサシステムの第４の実施形態は請求項５によって規定される。
【００２０】
上記さらなる振幅検出器に少なくとも２台のレベル検出器を設け、上記レベル検出器が上記増幅器回路の（平衡）出力に接続された（平衡）入力と、増幅器の入力に接続された出力とを備えることにより、上記さらなる増幅検出器が低コストと低い複雑度で実施された。
【００２１】
本発明によるミキサシステムの第５の実施形態は請求項６によって規定される。
【００２２】
上記さらなる増幅検出器に、レンジ検出器の入力および上記レンジ検出器によって制御されるインバータの入力に接続された出力を備えた増幅器の入力に接続された出力を有するレベル検出器の入力に接続された出力を備え、上記増幅器回路の（平衡）出力信号を加算する少なくとも１台の加算器を設けることにより、上記さらなる増幅器検出器が低コストと低い複雑度で実施された。
【００２３】
第４の実施形態と第５の実施形態を比較すると、第４の実施形態の方がコストが低く、かつ、複雑度が低く、上記第５の実施形態の方がより正確である。
【００２４】
本発明によるミキサシステムの第６の実施形態は請求項７によって規定される。
【００２５】
上記増幅器回路のそれぞれに、第１の抵抗素子を介して互いに接続された少なくとも第１の入力および第１の出力と、第２の抵抗素子を介して互いに接続された少なくとも第２の入力および第２の出力とを備え、上記増幅器回路の少なくとも一方の少なくとも１台の抵抗素子が上記増幅器回路の利得を制御するため可調整である増幅器を設けることにより、上記増幅器回路が低コストと低い複雑度で実施された。上記（可調整）抵抗素子は、たとえば、（可調整）抵抗器、および／または、（可制御）トランジスタ、および／または、抵抗器とトランジスタの組み合わせ（トランジスタは、たとえば、短絡し、または、２台の直列トランジスタの一方ではなく、または、カップリングし、または、並列した抵抗器の一方の抵抗器ではない）などを備える。
【００２６】
本発明によるミキサシステムの第７の実施形態は請求項８によって規定される。
【００２７】
上記増幅器回路のうちの一方の少なくとも１個の出力を少なくとも１台のさらなる可調整抵抗素子を介してもう一方の増幅器回路の少なくとも１個の入力に接続することにより、位相補正（補償）が行える。
【００２８】
本発明による装置の実施形態および本発明による方法の実施形態は本発明によるシステムの実施形態に対応する。
【００２９】
本発明は、特に、小型トランジスタ、すなわち、位相誤差がもはや性能を左右しないようなサイズを有するトランジスタに基づく集積テクノロジーを用いて設計されたミキサシステムにおいて、これらの小型トランジスタは、大型トランジスタ、すなわち、位相誤差が性能を左右するようなサイズを有するトランジスタよりも寄生容量が小さく、これが振幅誤差を生じる低周波数における画像抑止を低減するという洞察に基づき、かつ、特に、これらの振幅誤差は補正（補償）されるべきであるという基本アイデアに基づく。
【００３０】
本発明は、特に、小型トランジスタに基づく集積テクノロジーを用いて設計可能であるミキサシステムを提供する問題を解決し、特に、当然に消費電力を削減する小型トランジスタを用いて、振幅補正が切り換え無しに、および／または、較正無しに行われる点が有利である。
【００３１】
米国特許第６，１３７，９９９号は上記洞察を開示するものではなく、これに反して、米国特許第６，１３７，９９９号は温度変化および電圧変化を取り扱い、幾つかのフィルタを除去することを試みるため較正モードを必要とすることにさらに注意すべきである。
【００３２】
本発明の上記およびその他の態様は以下に説明される実施形態から明らかであり、実施形態を参照して解明される。
【発明を実施するための最良の形態】
【００３３】
たとえば、携帯電話機またはテレビ受信機などのような装置で使用するための図１に表された本発明によるミキサシステム１は、たとえば、２台または４台等のミキサ（乗算器）を備えたミキサブロック３と、たとえば、２台の増幅器回路４，５とを有するミキサ回路２を備える。平衡状態において、各増幅器回路４，５の２個の入力は上記ミキサブロック３の２個の出力に接続される。ミキサシステム１は、２台のレベル検出器６１，６２を備え、それらの出力が増幅器６３の入力に接続された振幅検出器６をさらに備える。増幅器６３の出力は、振幅検出器６の出力を形成し、たとえば、増幅器回路５の利得を制御するミキサ回路２の制御入力に接続される。平衡状態において、レベル検出器６１の２個の入力は増幅器回路４の出力に接続され、レベル検出器６２の２個の入力は増幅器回路５の出力に接続される。したがって、レベル検出器６１，６２のこれらの４個の入力は振幅検出器６の入力を形成する。
【００３４】
図１に示されたミキサシステム１は、オーディオ／ビデオ情報を含む信号を周波数変換するミキサブロック３を備えたミキサ回路２を備える。オーディオ／ビデオ情報を含むこれらのアナログおよび／またはデジタル信号は、たとえば、携帯電話呼び出しのアナログおよび／またはデジタル形式の変調されたオーディオ信号に一致するかもしくは含み、および／または、たとえば、携帯電話カメラピクチャのアナログおよび／またはデジタル形式の変調されたビデオ信号に一致するかもしくは含み、および／または、たとえば、テレビ番組のアナログおよび／またはデジタル形式の変調されたオーディオとビデオの信号に一致するかもしくは含み、および／または、オーディオおよび／またはビデオによって（後で）表現されるべき（アナログおよび／またはデジタルの）変調されたデータ信号に一致するかもしくは含む等であり、たとえば、オーディオ／ビデオ情報を含む信号を複素信号（たとえば、Ｉ信号およびＱ信号など）に変換し、ある種の高調波をフィルタリングする１台以上のポリフェーズフィルタ（ミキサブロック３がたとえば４台のミキサ（乗算器）を含む場合など）を介して上記ミキサブロック３に供給される。上記ミキサブロック３は、たとえば、携帯電話機接続および／またはテレビケーブル接続などを介して受信されたオーディオ／ビデオ情報を含む信号を周波数変換（ダウンコンバートおよび／または復調）し、および／または、たとえば、携帯電話機接続などを介して送信されるべきオーディオ／ビデオ情報を含む信号を周波数変換（変調および／またはアップコンバート）する。ミキサ回路２の出力信号は、たとえば、上記出力信号をフィルタリングし逆変換する１台以上のさらなるポリフェーズフィルタに供給される。ダウンコンバートを行うミキサブロック３の場合に、上記ポリフェーズフィルタに供給されるべきオーディオ／ビデオ情報を含む信号は、たとえば、ＲＦ（無線周波数）信号であり、ミキサブロック３に供給されるべき信号は、たとえば、ＲＦ−Ｉ信号およびＲＦ−Ｑ信号であり、ミキサブロック３から来る信号は、たとえば、ＩＦ−Ｉ信号およびＩＦ−Ｑ信号であり、上記さらなるポリフェーズフィルタによって発生される出力信号は、たとえば、ＩＦ（中間周波数）信号である。
【００３５】
ミキサシステム１には、小型トランジスタに基づく集積テクノロジーを用いた設計により生ずる振幅誤差を補正（補償）する振幅検出器６が設けられる。従来技術とは異なり、振幅検出器６は、オーディオ／ビデオ情報を含む上記信号の上記周波数変換中に振幅誤差を補正（補償）する。
【００３６】
各ミキサまたは乗算器は、上記入力信号を局部発振器信号と混合または乗算することにより入力信号を周波数変換する。これにより、望ましい信号と望ましくない画像信号が生ずる。上記望ましくない画像信号を抑制するため、２台のミキサまたは乗算器が使用され、それぞれが上記入力信号を受信し、２台のミキサまたは乗算器の後に１台以上のポリフェーズフィルタが続けられる。２台のミキサまたは乗算器の組み合わせは複素ミキサと呼ばれることがよくある。抑制をより高めるため、たとえば、１台以上のポリフェーズフィルタから発生する位相偏移した入力信号を受信する２台の複素ミキサを備える完全な複素ミキサが使用される。
【００３７】
ミキサまたは乗算器は、たとえば、平衡状態のＭＯＳトランジスタを使用して設計され、一方の入力が第１および第２のＭＯＳトランジスタの第１の主電極に接続され、もう一方の入力が第３および第４のＭＯＳトランジスタの第１の主電極に接続され、上記第１および第４のＭＯＳトランジスタの第２の主電極が互いに接続され、第１の出力を形成し、上記第２および第３のＭＯＳトランジスタの第２の主電極が互いに接続され、第１の出力を形成する。上記第１および第３のＭＯＳトランジスタの制御電極は互いに接続され、第１の発振器入力を形成し、上記第２および第４のＭＯＳトランジスタの制御電極は互いに接続され、第２の発振器入力を形成する。或いは、ミキサまたは乗算器は同じようにバイポーラトランジスタなどを使用して設計してもよい。
【００３８】
上記レベル検出器は、たとえば、それぞれがダイオードまたはトランジスタなどのような整流器を、整流された信号を平滑化するコンデンサなどのような平滑化要素と共に備える。
【００３９】
図２に示された本発明によるミキサシステム１の一部分は、２台の増幅器回路４，５と、振幅検出器６と、第１の同相補正のための２台のさらなる振幅検出器７，８と、を備える。増幅器回路４は増幅器４１を具備し、増幅器回路５は増幅器５１を備える。平衡状態において、増幅器４１は、ミキサブロック３の出力に接続された２個の入力と、振幅検出器６内のレベル検出器６１の入力およびさらなる振幅検出器の入力に接続された２個の出力とを有し、増幅器５１は、ミキサブロック３の出力に接続された２個の入力と、振幅検出器６内のレベル検出器６２の入力およびさらなる振幅検出器８の入力に接続された２個の出力とを有する。
【００４０】
増幅器４１の中で、第１の入力および第１の出力は第１の抵抗素子４２を介して互いに接続され、第２の入力および第２の出力は第２の抵抗素子４３を介して互いに接続される。増幅器５１の中で、第１の入力および第１の出力は第１の抵抗素子５２を介して互いに接続され、第２の入力および第２の出力は第２の抵抗素子５３を介して互いに接続される。抵抗素子４３および５２は調整可能であり、振幅検出器６の増幅器６３から発生する出力信号によって制御され、レベル検出器６１および６２の出力は増幅器６３の入力に接続される。抵抗素子４２は調整可能であり、さらなる振幅検出器７の増幅器７３から発生する出力信号によって制御され、レベル検出器７１および７２の出力は増幅器７３の入力に接続され、レベル検出器７１および７２の入力はさらなる振幅検出器７の入力を形成する。抵抗素子５３は調整可能であり、さらなる振幅検出器８の増幅器８３から発生する出力信号によって制御され、レベル検出器８１および８２の出力は増幅器８３の入力に接続され、レベル検出器８１および８２の入力はさらなる振幅検出器８の入力を形成する。
【００４１】
上記振幅検出器６は上記のように上記振幅誤差を補正（補償）する。上記さらなる振幅検出器７，８は第１の方式で同相誤差を補正（補償）する。これらの同相誤差は、小型トランジスタに基づく集積テクノロジーを用いた設計から生ずることがあり、生じないこともある。ポリフェーズフィルタは同相除去を行わないので、さらなる振幅検出器７，８はミキサシステム１を有利に改良する。
【００４２】
図３に示されたさらなる振幅検出器９は、高精度で製作可能である加算器９１に基づいているため、第１の方式よりも正確な第２の方式で同相誤差を補正する。さらなる振幅検出器９は上記さらなる振幅検出器７，８を置き換え、上記加算器９１を具備し、その加算器の入力はさらなる振幅検出器９の入力を形成し、増幅器５１（または４１）の出力に接続され、上記増幅器５１（または４１）の平衡出力信号を加算する。加算器９１の出力はレベル検出器９２の入力に接続され、レベル検出器の出力は増幅器９３の第１の入力に接続される。増幅器９３の第２の入力は接地され、増幅器９３の出力はレンジ検出器９４の入力およびインバータ９５の入力に接続され、レンジ検出器９４が上記インバータ９５を制御する。このレンジ検出器９４は、たとえば、ウィンドウ検出器および／またはヒステリシス検出器であり、抵抗素子５３（または４２）の制御を正しい向きへ導くため必要であり、加算器９１は絶対誤差を発生し、絶対誤差の符号を示さない。
【００４３】
図４に示されたミキサ回路２は、ミキサブロック３と、抵抗素子４２，４３、振幅補正を行う可調整抵抗素子５２、および、同相補正を行う可調整抵抗素子５３を備えた増幅器４１，５１を具備し、図２に表され、図２を用いて説明された通りであるので、明解さの目的のため、上記振幅検出器６，７，８，９は図示されていない。増幅器４１，５１の出力は１台以上のポリフェーズフィルタ１０の入力にさらに接続される。さらなる可調整抵抗素子４４，４５，５４，５５は位相補正のため付加される。さらなる可調整抵抗素子４４，４５の一方側は増幅器４１の第２の出力に接続され、さらなる可調整抵抗素子４４のもう一方側は増幅器５１の第１の入力に接続され、さらなる可調整抵抗素子４５のもう一方側は増幅器５１の第２の入力に接続される。さらなる可調整抵抗素子５４，５５の一方側は増幅器４１の第１の出力に接続され、さらなる可調整抵抗素子５４のもう一方側は増幅器５１の第２の入力に接続され、さらなる可調整抵抗素子５５のもう一方側は増幅器５１の第１の入力に接続される。
【００４４】
抵抗素子４４，４５，５４，５５を制御するため、ミキサまたは乗算器がＩ信号とＱ信号の間の位相誤差を検出するため使用される。フィルタリング後、得られた誤差信号は抵抗器４４，４５，５４，５５を制御するため使用される。角度が９０度よりも大きい場合、抵抗素子４５および５５が一部のＩ（またはＱ）信号をＱ（またはＩ）信号に加算するため使用される。角度が９０度よりも小さい場合、抵抗素子４４および５４が一部のＩ（またはＱ）信号をＱ（またはＩ）信号から減算するため使用される。
【００４５】
上記（可調整）抵抗素子は、たとえば、（可調整）抵抗器、および／または、（可制御）トランジスタ、および／または、抵抗器とトランジスタの組み合わせ（トランジスタは、たとえば、短絡し、または、２台の直列トランジスタの一方ではなく、または、カップリングし、または、並列した抵抗器の一方の抵抗器ではない）などを備える。
【００４６】
たとえば、「周波数変換をするための」、「補正をするための」、「受信するための」および「増幅するための」などにおける表現「ための（ｆｏｒ）」は、他の機能も同様に同時にまたは非同時的に実行されることを排除しない。表現「Ｙに接続されたＸ」、「ＸとＹの間のカップリング」、および、「ＸとＹをカップリング／接続する」などは、要素ＺがＸとＹの間に存在することを排除しない。表現「ＰはＱを備える」、「Ｑを備えるＰ」などは、要素Ｒを同様に備えること／含まれることを排除しない。単数表現「ａ」および「ａｎ」は、複数個が存在する可能性を排除しない。表現「上記振幅補正は上記信号の上記周波数変換中に行われる等」は「１回以上の振幅補正が１個以上の信号を周波数変換する間に行われる等」と一致する。
【００４７】
本発明は、特に、小型トランジスタ（位相誤差がもはや性能を左右しないようなサイズを有する小型トランジスタ）に基づく集積テクノロジーを用いて設計されたミキサシステムにおいて、これらの小型トランジスタは、大型トランジスタ（位相誤差が性能を左右するようなサイズを有する大型トランジスタ）よりも、寄生容量が小さく、（低周波数における画像抑止を低減する）オンレジスタ時の絶対スプレッドが大きく、これにより振幅誤差を生じるという洞察に基づき、かつ、特に、これらの振幅誤差は補正（補償）されるべきであるという基本アイデアに基づく。
【００４８】
本発明は、特に、小型トランジスタに基づく集積テクノロジーを用いて設計可能であるミキサシステムを提供する問題を解決し、特に、振幅補正が切り換え無しに、および／または、較正無しに行われ、小型トランジスタが当然に消費電力を削減する点が有利である。
【図面の簡単な説明】
【００４９】
【図１】ミキサおよび増幅器回路を備えたミキサ回路と振幅検出器とを備える本発明によるミキサシステムのブロック図である。
【図２】本発明によるミキサシステムで使用する２台の増幅器回路、振幅検出器、および、第１の同相補正のための２台のさらなる振幅検出器のブロック図である。
【図３】本発明によるミキサシステムで使用する第２の同相補正のためのさらなる振幅検出器のブロック図である。
【図４】本発明によるミキサシステムで使用するミキサと振幅補正を行う可調整抵抗素子および位相補正を行うさらなる可調整抵抗素子を備えた増幅器とを備えるミキサ回路のブロック図である。
【符号の説明】
【００５０】
１  ミキサシステム
２  ミキサ回路
３  ミキサブロック
４、５  増幅器回路
６  振幅検出器
７、８、９  振幅検出器
４１、５１、６３、７３、８３、９３  増幅器
４２、５２  第１の抵抗素子
４３、５３  第２の抵抗素子
６１、６２、７１、７２、８１、８２、９２  レベル検出器
９１  加算器
９４  レンジ検出器
９５  インバータ
【図１】
2006511144.tif 000003
【図３】
2006511144.tif 000004
【図２】
2006511144.tif 000005
【図４】
2006511144.tif 000006
【国際調査報告】
2006511144.tif 000007
2006511144.tif 000008